【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
映像コンテンツの視聴スケジュールをユーザに提示する情報処理装置において、
予め決定されている日時に従いリアルタイムで供給されるリアルタイムコンテンツの供給スケジュールを取得する第１の取得手段と、
録画済の録画コンテンツ、およびダウンロード済みのオンデマンドコンテンツの情報を取得する第２の取得手段と、
前記リアルタイムコンテンツ、前記録画コンテンツ、および前記オンデマンドコンテンツを同一時間軸上に混在して配置し、前記視聴スケジュールを生成する生成手段と、
生成された視聴スケジュールを表示させる表示制御手段と
を含む情報処理装置。
【請求項２】
ユーザの視聴履歴を収集する収集手段と、
収集された視聴履歴に基づき、各時間枠におけるユーザの視聴動向を示す嗜好値を計算する嗜好値計算手段と、
前記リアルタイムコンテンツ、前記録画コンテンツ、および前記オンデマンドコンテンツの特徴を示す評価値を計算する評価値計算手段とをさらに含み、
前記生成手段は、各時間枠に対する前記嗜好値と前記評価値との類似の程度に応じ、前記リアルタイムコンテンツ、前記録画コンテンツ、および前記オンデマンドコンテンツを、同一時間軸上の時間枠に混在して配置し、前記視聴スケジュールを生成する
請求項１に記載の情報処理装置。
【請求項３】
前記表示制御手段は、生成された視聴スケジュールを、縦軸または横軸の一方が日付、他方が時刻を示す２次元桝目状に表示させる
請求項２に記載の情報処理装置。
【請求項４】
前記表示制御手段は、生成された視聴スケジュールを、テレビジョン番組表に設けた仮想的なチャンネルとして表示させる
請求項２に記載の情報処理装置。
【請求項５】
表示された前記視聴スケジュールに対する所定の操作に応じ、録画予約を設定する設定手段を
さらに含む請求項２に記載の情報処理装置。
【請求項６】
映像コンテンツの視聴スケジュールをユーザに提示する情報処理装置の情報処理方法において、
予め決定されている日時に従いリアルタイムで供給されるリアルタイムコンテンツの供給スケジュールを取得し、
録画済の録画コンテンツ、およびダウンロード済みのオンデマンドコンテンツの情報を取得し、
前記リアルタイムコンテンツ、前記録画コンテンツ、および前記オンデマンドコンテンツを同一時間軸上に混在して配置し、前記視聴スケジュールを生成し、
生成された視聴スケジュールを表示させる
ステップを含む情報処理方法。
【請求項７】
映像コンテンツの視聴スケジュールをユーザに提示する情報処理装置の制御用のプログラムであって、
予め決定されている日時に従いリアルタイムで供給されるリアルタイムコンテンツの供給スケジュールを取得し、
録画済の録画コンテンツ、およびダウンロード済みのオンデマンドコンテンツの情報を取得し、
前記リアルタイムコンテンツ、前記録画コンテンツ、および前記オンデマンドコンテンツを同一時間軸上に混在して配置し、前記視聴スケジュールを生成し、
生成された視聴スケジュールを表示させる
ステップを含む処理を情報処理装置のコンピュータに実行させるプログラム。
【手続補正２】
【補正対象書類名】明細書
【補正対象項目名】０００８
【補正方法】変更
【補正の内容】
【０００８】
上述したように、放送コンテンツ、録画コンテンツ、またはオンデマンドコンテンツをそれぞれユーザに対して個別に薦める技術は存在する。しかしながら、放送コンテンツ、録画コンテンツ、およびオンデマンドコンテンツは、いずれも映像コンテンツとして共通するものでありながら、これらを統合的にユーザに提案する方法は確立されていない。
【手続補正３】
【補正対象書類名】明細書
【補正対象項目名】００１１
【補正方法】変更
【補正の内容】
【００１１】
本発明の一側面である情報処理装置は、映像コンテンツの視聴スケジュールをユーザに提示する情報処理装置において、予め決定されている日時に従いリアルタイムで供給されるリアルタイムコンテンツの供給スケジュールを取得する第１の取得手段と、録画済の録画コンテンツ、およびダウンロード済みのオンデマンドコンテンツの情報を取得する第２の取得手段と、前記リアルタイムコンテンツ、前記録画コンテンツ、および前記オンデマンドコンテンツを同一時間軸上に混在して配置し、前記視聴スケジュールを生成する生成手段と、生成された視聴スケジュールを表示させる表示制御手段とを含む。
【手続補正４】
【補正対象書類名】明細書
【補正対象項目名】００１２
【補正方法】変更
【補正の内容】
【００１２】
本発明の一側面である情報処理装置は、ユーザの視聴履歴を収集する収集手段と、収集された視聴履歴に基づき、各時間枠におけるユーザの視聴動向を示す嗜好値を計算する嗜好値計算手段と、前記リアルタイムコンテンツ、前記録画コンテンツ、および前記オンデマンドコンテンツの特徴を示す評価値を計算する評価値計算手段とをさらに含むことができ、前記生成手段は、各時間枠に対する前記嗜好値と前記評価値との類似の程度に応じ、前記リアルタイムコンテンツ、前記録画コンテンツ、および前記オンデマンドコンテンツを、同一時間軸上の時間枠に混在して配置し、前記視聴スケジュールを生成するようにすることができる。
【手続補正５】
【補正対象書類名】明細書
【補正対象項目名】００１６
【補正方法】変更
【補正の内容】
【００１６】
本発明の一側面である情報処理方法は、映像コンテンツの視聴スケジュールをユーザに提示する情報処理装置の情報処理方法において、予め決定されている日時に従いリアルタイムで供給されるリアルタイムコンテンツの供給スケジュールを取得し、録画済の録画コンテンツ、およびダウンロード済みのオンデマンドコンテンツの情報を取得し、前記リアルタイムコンテンツ、前記録画コンテンツ、および前記オンデマンドコンテンツを同一時間軸上に混在して配置し、前記視聴スケジュールを生成し、生成された視聴スケジュールを表示させるステップを含む。
【手続補正６】
【補正対象書類名】明細書
【補正対象項目名】００１７
【補正方法】変更
【補正の内容】
【００１７】
本発明の一側面であるプログラムは、映像コンテンツの視聴スケジュールをユーザに提示する情報処理装置の制御用のプログラムであって、予め決定されている日時に従いリアルタイムで供給されるリアルタイムコンテンツの供給スケジュールを取得し、録画済の録画コンテンツ、およびダウンロード済みのオンデマンドコンテンツの情報を取得し、前記リアルタイムコンテンツ、前記録画コンテンツ、および前記オンデマンドコンテンツを同一時間軸上に混在して配置し、前記視聴スケジュールを生成し、生成された視聴スケジュールを表示させるステップを含む処理を情報処理装置のコンピュータに実行させる。
【手続補正７】
【補正対象書類名】明細書
【補正対象項目名】００１８
【補正方法】変更
【補正の内容】
【００１８】
本発明の一側面においては、前記リアルタイムコンテンツ、前記録画コンテンツ、および前記オンデマンドコンテンツが同一時間軸上に混在して配置され、前記視聴スケジュールが生成される。そして、生成された視聴スケジュールが表示される。
【手続補正８】
【補正対象書類名】明細書
【補正対象項目名】００１９
【補正方法】変更
【補正の内容】
【００１９】
本発明の一側面によれば、映像コンテンツの視聴をユーザに薦めることができる。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００８７
【補正方法】変更
【補正の内容】
【００８７】
領域８１に表示される番組表の放送コンテンツのうち、視聴スケジュール８２に採用されたものには、その旨を示す文字やマークが表示される（例えば、図１０の場合、時間枠８３，８４の星マーク）。また、視聴スケジュール８２において、録画コンテンツまたはオンデマンドコンテンツが採用されている場合、その時間枠に対応する視聴スケジュール８０の縦軸に、所定のマーク８５が表示される。
【手続補正１２】
【補正対象書類名】図面
【補正対象項目名】図６
【補正方法】変更
【補正の内容】
【図６】
2009055095.tif 000001